(57)【特許請求の範囲】
【請求項１】
所定のカードを発行する際に使用されるものであり、固有の識別符号が付された当該カードを保持可能なカード保持型帳票において、
所定の事項を記入させるエリアが設けられて所定内容が印刷され、前記カードの識別符号とひも付けするためのひも付け識別符号が付された第１の紙葉と、
前記第１の紙葉と分離、折曲自在に連続一体で二つの紙片からなり、当該二つの紙片を折り重ねて固着することで一辺が開放された袋状を形成して前記カードを保持するカード保持部が設けられ、当該カード保持部に、前記カードが保持されたときに当該カードに付された前記識別符号を表出させる窓部が形成されると共に、当該カード保持部の形成面上に少なくとも前記ひも付け識別符号と関連のひも付け識別符号が付された第２の紙葉と、
を有することを特徴とするカード保持型帳票。
【請求項２】
請求項１記載のカード保持型帳票であって、前記カードに所定数の識別符号が付され、当該識別符号は、少なくとも目視判別自在な目視判別符号であり、前記カード保持部の面上に、保持した当該カードとの一致性を確認するための上記目視判別符号と同一の目視判別符号が付されることを特徴とするカード保持型帳票。
【請求項３】
請求項１又は２記載のカード保持型帳票であって、前記第１及び第２の紙葉に付されたひも付け識別符号が、前記目視判別符号と同一の目視判別符号であることを特徴とするカード保持型帳票。
【請求項４】
請求項１〜３の少なくとも何れかに記載のカード保持型帳票であって、前記第２の紙葉のカード保持部に付されるひも付け識別符号、目視判別符号は、当該カード保持部に形成された前記窓部に対して、同列、同行の少なくとも何れかに付されることを特徴とするカード保持型帳票。
【請求項５】
請求項１〜４の少なくとも何れかに記載のカード保持型帳票を作製するための帳票作製システムであって、
前記カード保持型帳票を構成する前記第１の紙葉、及び前記二つの紙片が展開された状態の前記窓部が形成された第２の紙葉の少なくとも同一面上に所定の印刷事項の印刷を行うと共に、上記第２の紙葉における二つの紙片に前記カード保持部を形成するための接着剤を塗布する印刷手段と、
前記第１及び第２の紙葉の少なくとも同一面上に、前記ひも付け識別符号、目視判別符号の少なくとも何れかの印字を行う印字手段と、
少なくとも、前記第２の紙葉における二つの紙片を固着して前記カード保持部を形成させる加工手段と、
を有することを特徴とする帳票作製システム。
【請求項６】
請求項５記載の帳票作製システムであって、前記カードに所定印刷事項、及び前記識別符号の印字を行うカード印刷手段と、当該カードに所定の事項を記録する記録手段とを備えることを特徴とする帳票作製システム。
【請求項７】
請求項５又は６記載の帳票作製システムであって、前記カード保持型帳票の第２の紙葉に付されたひも付け識別符号、目視判別符号の少なくとも何れかと、前記窓部から表出する前記カードに付された識別符号とを読み取り、同一性を照合する照合手段を備えることを特徴とする帳票作製システム。
【発明の詳細な説明】
【０００１】
【発明の属する技術分野】
本発明は、種々のカード発行の際に使用されるもので、カードを保持する機能を備えたカード保持型帳票及び帳票作製システムに関する。
【０００２】
【従来の技術】
近年、クレジットカード、会員カードやポイントカード等の種々のカードが発行されてきており、カード発行に伴う帳票においても種々のものが出現してきている。カード発行業務は、申込者がカード申込書に所定の事項を記入して申し込むことでカードを発行するものであるが、発行側では申込者とカードの同一性を担保する必要性から、申込書とカードをいわゆるひも付けして管理する。このようなカード発行業務においては、カード申込書とカードの保管管理の簡易化や、カード発行作業の効率化が望まれている。
【０００３】
そこで、図７に、従来のカード保持型帳票の構成図を示す。図７（Ａ）はカード申込書の概念図であり、図７（Ｂ）は発行するカードを保持しているカード台紙の概念図である。図７（Ａ）に示すカード申込書１０１は、申込者の氏名や住所等を記入する記入欄１０２や管理のためのエリア１０３等が設けられて印刷され、これとは別に図７（Ｂ）に示すカード台紙１０４が所定事項を印刷して用意されている。
【０００４】
カード台紙１０４は、申込者に渡されるもので、カード番号等が印刷されたカード１０５を保持するための切欠き１０６ａ〜１０６ｄが形成されて当該カード１０５を四隅で保持する。また、このようなカード台紙１０４には、カード１０５のカード番号とひも付けされたバーコードが印刷されたラベル１０７が剥離、再接着可能に貼着されており、当該カード台紙１０４を申込者に渡す際に上記ラベル１０７を剥がしてカード申込書（又はその控え）１０１のエリア１０３に貼着することによって、当該カード申込書（又はその控え）１０１をカード１０５とひも付けして管理するものである。
【０００５】
また、他の方法として、カード申込書１０１のエリア１０３と、カード台紙１０４の所定位置に同一のバーコードや番号を印字し、このバーコードや番号が印字されたカード１０５をカード台紙１０４に保持させておくことで、上記カード申込書１０１をカード１０５とひも付けして管理することも行われている。
【０００６】
【発明が解決しようとする課題】
しかしながら、上記のようなカード台紙１０４においてカード１０５を切欠き１０６ａ〜１０６ｄに四隅を挿入して保持させることは、当該カード台紙１０４よりカード１０５が脱落する場合があり、これが複数のカード台紙１０４で脱落すると当該カード台紙１０４とカード１０５とを一致させて保持させ直すことに時間を要するという問題があると共に、カード申込書１０１とカード１０５とのひも付けに際してラベル１０７を貼着させる行為が必要であって作業効率が悪いという問題がある。
【０００７】
また、カード申込書１０１とカード台紙１０４とに同一のバーコードや番号を印字させておくことはカード１０５とのひも付けが容易ではあるが、当該カード申込書１０１とカード台紙１０４とは別用紙であることから、互いの関連性を確実に担保して保管しなければならないという問題がある。
【０００８】
そこで、本発明は上記課題に鑑みなされたもので、カードを確実に保持すると共に、管理容易に帳票とカードとのひも付けを可能とするカード保持型帳票及び帳票作製システムを提供することを目的とする。
【０００９】
【課題を解決するための手段】
上記課題を解決するために、請求項１の発明では、所定のカードを発行する際に使用されるものであり、固有の識別符号が付された当該カードを保持可能なカード保持型帳票において、所定の事項を記入させるエリアが設けられて所定内容が印刷され、前記カードの識別符号とひも付けするためのひも付け識別符号が付された第１の紙葉と、前記第１の紙葉と分離、折曲自在に連続一体で二つの紙片からなり、当該二つの紙片を折り重ねて固着することで一辺が開放された袋状を形成して前記カードを保持するカード保持部が設けられ、当該カード保持部に、前記カードが保持されたときに当該カードに付された前記識別符号を表出させる窓部が形成されると共に、当該カード保持部の形成面上に少なくとも前記ひも付け識別符号と関連のひも付け識別符号が付された第２の紙葉と、を有してカード保持型帳票が構成される。
【００１０】
請求項２〜４の発明では、カード保持型帳票が、「前記カードに所定数の識別符号が付され、当該識別符号は、少なくとも目視判別自在な目視判別符号であり、前記カード保持部の面上に、保持した当該カードとの一致性を確認するための上記目視判別符号と同一の目視判別符号が付される」とする構成であり、
「前記第１及び第２の紙葉に付されたひも付け識別符号が、前記目視判別符号と同一の目視判別符号である」とする構成であり、
「前記第２の紙葉のカード保持部に付されるひも付け識別符号、目視判別符号は、当該カード保持部に形成された前記窓部に対して、同列、同行の少なくとも何れかに付される」とする構成でる。
【００１１】
請求項５の発明では、請求項１〜４の少なくとも何れかに記載のカード保持型帳票を作製するための帳票作製システムであって、前記カード保持型帳票を構成する前記第１の紙葉、及び前記二つの紙片が展開された状態の前記窓部が形成された第２の紙葉の少なくとも同一面上に所定の印刷事項の印刷を行うと共に、上記第２の紙葉における二つの紙片に前記カード保持部を形成するための接着剤を塗布する印刷手段と、前記第１及び第２の紙葉の少なくとも同一面上に、前記ひも付け識別符号、目視判別符号の少なくとも何れかの印字を行う印字手段と、少なくとも、前記第２の紙葉における二つの紙片を固着して前記カード保持部を形成させる加工手段と、を有して帳票作製システムが構成される。
【００１２】
請求項６及び７の発明では、帳票作製システムが、「前記カードに所定印刷事項、及び前記識別符号の印字を行うカード印刷手段と、当該カードに所定の事項を記録する記録手段とを備える」とする構成であり、
「前記カード保持型帳票の第２の紙葉に付されたひも付け識別符号、目視判別符号の少なくとも何れかと、前記窓部から表出する前記カードに付された識別符号とを読み取り、同一性を照合する照合手段を備える」とする構成である。
【００１３】
このように、カード保持型帳票は、分離、折曲自在に連続一体で関連のひも付け識別符号が付された第１及び第２の紙葉から構成され、二つの紙片からなる第２の紙葉にカードを保持する袋状のカード保持部が形成されると共に、カード保持部に保持したカードに付された識別符号を表出させる窓部が形成されることから、保持したカードの脱落が回避され、ひも付け識別符号により容易にカードと第１の紙葉とのひも付けを行うことが可能となる。また、識別符号として少なくとも目視判別自在な目視判別符号とすることで、カードを保持させる際のマッチングの確認を容易に行うことが可能となるものである。
【００１４】
また、帳票作製システムにおいては、第１の紙葉及び紙片が展開された第２の紙葉の同一面上に所定印刷事項の印刷、接着剤塗布を印刷手段で行わせると共に、当該同一面上にひも付け識別符号、目視判別符号等の印字を印字手段で行わせ、加工手段でカードを保持するカード保持部を形成させるもので、適宜カードに識別符号等の所定の印刷及び記録を行わせるカード印刷手段及び記録手段を備え、またひも付け識別符号や目視判別符号の同一性を照合する照合手段を備える。これにより、印字、印刷を簡易とすることが可能となると共に、容易にカードと第１の紙葉とのひも付け、マッチングの確認を行うことが可能となる。
【００１５】
【発明の実施の形態】
以下、本発明の好ましい実施形態を図により説明する。
図１に、本発明の一実施形態におけるカード保持型帳票の構成図を示す。本実施形態は、例えば商品購入によりポイントが加算されていくポイントカードを申し込むときに使用されるカード申込書に適用した場合を示したもので、図１（Ａ）は表面、図１（Ｂ）は裏面、また図１（Ｃ）は保持されるカードを示している。図１において、カード保持型帳票１１は、カード申込書を第１面とした第１の紙葉１２と、カードが保持される第２の紙葉１３とが、ミシン目１４により分離、折曲自在に連続して一体とされて構成されたものである。
【００１６】
第１の紙葉１２は、図１（Ａ）に示すように、一方面上に所定の事項を記入されるエリア１２Ａ，１２Ｂ等を所定数含んで全体に「カード申込書」等の所定の印刷情報が印刷されたものである。第２の紙葉１３は、図１（Ａ）、図１（Ｂ）に示すように、上記第１の紙葉１２の一方面と同一面上に所定の印刷情報が印刷され、その裏面に後述する二つの紙片を折り重ねて固着することで一辺（例えばミシン目１４側）が開放された袋状のカード保持部１５が設けられる。そして、カード保持部１５には、後述のカードが保持されたときに当該カードに付された識別符号を表出させる窓部１６が形成されている。なお、第２の紙葉１３におけるカード保持部１５側に所定の印刷情報を印刷してもよい。これによれば、第１及び第２の紙葉１２，１３の印刷が同一面上で一括して行うことができるものである。
【００１７】
また、第１の紙葉１２の所定位置にはカードの識別符号とひも付けするためのひも付け識別符号（例えばバーコード）１７Ａが印字されて付されており、第２の紙葉１３におけるカード保持部１５側に上記ひも付け識別符号１７Ａと関連（同じ形態又は異なる形態）のひも付け識別符号１７Ｂが印字されて付されると共に、窓部１６の上方（同列）に後述のカードの識別符号である目視判別符号と同一の目視判別符号（例えば番号）１８Ａが印字されて付されている。なお、上記ひも付け識別符号１７Ａ，１７Ｂは、目視判別符号（例えば番号）であってもよい。
【００１８】
一方、図１（Ｃ）に示すカード１９は、例えば磁気記録が可能な磁気カードであり、その表面に所定事項が印刷されると共に、当該カード１９が上記カード保持部１５に保持されたときに上記窓部１６より表出する位置に識別符号である目視判別符号１８Ｂが印字、印刷されている。このカード１９が上記カード保持部１５内に挿入され、このカード１９が隠蔽されるようにミシン目１４より第１及び第２の紙葉１２，１３が折り重ねられるものである。このようなカード保持型帳票１１は、当初第１及び第２の紙葉１２，１３が一体であって保管管理を簡易化することができるもので、カード発行時にこれらを分離してカード保持者の管理を行うものである。
【００１９】
次に、図２に、本発明のカード保持型帳票を製造する帳票作製システムのブロック構成図を示す。図２（Ａ）において、帳票作製システム２１は、大別して印刷手段２２、印字手段２３及び加工手段２４により構成される。印刷手段２２は、カード保持型帳票１１を構成する第１の紙葉１２と、後述する二つの紙片が展開された状態で窓部１６が形成された第２の紙葉１３とを構成する用紙（後述する）の少なくとも同一の面上に印刷データ２５に基づいて所定の印刷事項（固定内容）の印刷を一括で行うと共に、第２の紙葉１３における二つの紙片に上記カード保持部１５を形成するための接着剤を塗布することを行う。なお、印刷事項によっては両面印刷でもよい。
【００２０】
印字手段２３は、第１及び第２の紙葉１２，１３の少なくとも同一面上に固有の上記ひも付け識別符号１７Ａ，１７Ｂと、「会員番号」等の目視判別符号１８Ａの印字を印字データ２６に基づいて行う。この場合、印字手段２３を印刷手段２２に含ませてもよい。また、加工手段２４は、第２の紙葉１３における二つの紙片を折り重ねて固着して上記カード保持部１５を形成させるもので、詳細は図３及び図４で説明する。
【００２１】
また、図２（Ｂ）は、帳票作製システム２１においてカード１９を作製するためのもので、カード媒体に対してカード印刷手段２７と、記録手段２８を少なくとも備える。カード印刷手段２７は、カード媒体に対して所定の印刷事項や固有の上記目視判別部符号１８Ｂを印刷データ２９に基づいて印字、印刷する。そして、記録手段２８は、カード媒体に対して固有の上記目視判別符号１８Ｂと同様の磁気的情報等を記録データ３０に基づいて行うものである。
【００２２】
そこで、図３及び図４に、帳票作製システムによるカード保持型帳票作製の説明図を示す。図３はカード保持型帳票１１を作製するための用紙４１を示したもので、図３（Ａ）に示すように、第１の紙葉１２と、紙片１３Ａ，１３Ｂよりなる第２の紙葉１３とで構成され、紙片１３Ｂには窓部１６が形成されている。これらが裁断線４３を介在させて所定長連続しており、その両端には用紙搬送のためのスプロケット孔が形成されたガイド部４２Ａ，４２Ｂが分離自在に設けられている。
【００２３】
このような状態の用紙４１が、上記印刷手段２２で印刷が行われると共に、後述の図４（Ｂ）に示すように接着剤が塗布され、印字手段２３で固有のひも付け識別符号１７Ａ，１７Ｂ及び目視判別符号１８Ａが印字される。そして、図３（Ｂ）に示すように、搬送しながらガイド部４２Ａ，４２Ｂが裁断分離し、またそれぞれ一のカード保持型帳票１１とするように裁断線４３で裁断することにより、図３（Ｃ）に示すような単一のものにそれぞれ分離される。これが図４に示すように折曲加工される。なお、４４は折込線である。
【００２４】
図４（Ａ）は、カード保持型帳票１１の折り込み前の状態の印刷情報の印刷面を示したもので、第１の紙葉１２及び第２の紙葉１３の各紙片１３Ａ，１３Ｂに所定の印刷情報が印刷されると共に、ひも付け識別符号１７Ａが第１の紙葉１２に印字され、第２の紙葉１３の紙片１３Ａにひも付け識別符号１７Ｂ及び目視判別符号１８Ａが印字されている。また、図４（Ｂ）に示すように、その裏面であって、紙片１３Ａ，１３Ｂにおけるカード保持部１５が形成されるように接着剤４５が塗布されている。この場合、図示のように面として接着剤４５を塗布してもよく、また端部分で線として接着剤４５を塗布してもよい。
【００２５】
そこで、図４（Ｃ）に示すように、二つの紙片１３Ａ，１３Ｂを折込線４４で上記接着剤４５を合わせるように折り重ねて当該二つの紙片１３Ａ，１３Ｂを固着することで一辺が開放された袋状のカード保持部１５が形成されることにより、図１に示すカード保持型帳票１１が製作されるものである。そして、このカード保持部１５にカード１９を挿入して保持させ、ミシン目１４で第２の紙葉１３を、カード１９を内側にして折曲させるものである。
【００２６】
このように、袋状のカード保持部１５にカード１９を保持させることから、カード１９の脱落を回避することができると共に、ひも付け識別符号１７Ａ，１７Ｂ、目視判別符号１８Ａが印字段階でひも付けされており、かつカード１９をカード保持部１５内に保持する際に目視判別符号１８Ａと、カード１９の目視判別符号１８Ｂとを確認しながら行うことができることから、確実に当該カード１９と第１の紙葉１２とのひも付けを行うことができるものである。このとき、第２の紙葉１３に印字される目視判別符号１８Ａを窓部１６の上方（搬送方向に対して同列）とすることで目視判別しやすくなって異なるカードの挿入ミスを防止することができる。なお、目視判別符号１８Ａを窓部１６に対して同行に配置しても目視判別を容易とすることができる。さらに、第１の紙葉１２とカード１９のマッチングの確実を期すために、照合手段により照合が行われる。
【００２７】
そこで、図５に、本発明におけるマッチングのための照合の説明図を示す。図５において、照合手段５１が上記帳票作製システム４１に備えられるもので、照合部５２、バーコードリーダ５３、ＯＣＲカメラ５４を含んで構成される。すなわち、カード１９が保持されたカード保持型帳票１１が搬送されてきたときに、バーコードリーダ５２がひも付け識別符号１７Ｂを読み込み、ＯＣＲカメラ５４が窓部１６より表出されるカード１９に付された目視判別符号１８Ｂを読み込む。そして、照合部５２が読み込んだひも付け識別符号１７Ｂと目視判別符号１８Ｂとが一致するか否かを照合するものである。
【００２８】
続いて、図６に、本発明の他の実施形態におけるカード保持型帳票の構成及びマッチング照合の説明図を示す。図６において、図６（Ｂ）に示すように、カード１９に目視判別符号１８Ｂとひも付け識別符号１７Ｃとを同列に印字させる。これに伴って、図６（Ａ）に示すように、カード保持型帳票１１におけるカード保持部１５に形成された窓部１６を、上記カード１９の目視判別符号１８Ｂとひも付け識別符号１７Ｃを表出させる大きさとし、さらに第２の紙葉１３の当該窓部１６と同列にひも付け識別符号１７Ｂと目視判別符号１８Ａを印字させたものである。
【００２９】
そして、照合手段５１として、照合部５２とバーコードリーダ５３を配置したもので、カード保持型帳票１１が搬送されてきたときに上記バーコードリーダ５３が、窓部１６より表出するカード１９のひも付け識別符号１７Ｃを読み込み、続いて第２の紙葉１３に印字されたひも付け識別符号１７Ｂを読み込むことで、照合ｂ５２が一致するか否かを照合するものである。これにより、照合対象が単一となって照合手段５１の構成を縮小化することができるものである。なお、第２の紙葉１３に印字されるひも付け識別符号１７Ｂを窓部１６に対して同行に配置してもよく、照合時にカード保持型帳票１１をその並び方向に搬送させればよい。
【００３０】
なお、上記実施形態は、磁気記録可能なポイントカード発行に適用した場合を示したが、これに限らずクレジットカード、会員カード、ＩＣカード、ＩＤカード等を発行する場合においても適用することができるものである。
【００３１】
【発明の効果】
以上のように、請求項１のカード保持型帳票によれば、分離、折曲自在に連続一体で関連のひも付け識別符号が付された第１及び第２の紙葉で構成し、二つの紙片からなる第２の紙葉にカードを保持する袋状のカード保持部を形成すると共に、カード保持部に保持したカードに付された識別符号を表出させる窓部を形成することにより、保持したカードの脱落を回避することができると共に、ひも付け識別符号により容易にカードと第１の紙葉とのひも付けを行うことができるものである。
【００３２】
請求項２〜４の発明によれば、第１及び第２の紙葉に付されるひも付け識別符号を目視判別符号とし、カードに目視判別符号を付し、適宜窓部に対して同列又は同行に付すことにより、カードのマッチングの確認を容易とすることができる。
【００３３】
請求項５〜７の帳票作製システムによれば、第１の紙葉及び紙片が展開された第２の紙葉の同一面上に所定印刷事項の印刷、接着剤塗布を印刷手段で行わせると共に、当該同一面上にひも付け識別符号、目視判別符号等の印字を印字手段で行わせ、加工手段でカードを保持するカード保持部を形成させることにより、また適宜カードに識別符号等の所定の印刷及び記録を行わせるカード印刷手段及び記録手段を備え、ひも付け識別符号や目視判別符号の同一性を照合する照合手段を備えることにより、印字、印刷を簡易とすることができると共に、容易にカードと第１の紙葉とのひも付け、マッチングの確認を行うことができるものである。
【図面の簡単な説明】
【図１】  本発明の一実施形態におけるカード保持型帳票の構成図である。
【図２】  本発明のカード保持型帳票を製造する帳票作製システムのブロック構成図である。
【図３】  帳票作製システムによるカード保持型帳票作製の説明図（１）である。
【図４】  帳票作製システムによるカード保持型帳票作製の説明図（２）である。
【図５】  本発明におけるマッチングのための照合を示した説明図である。
【図６】  本発明の他の実施形態におけるカード保持型帳票の構成及びマッチング照合の説明図である。
【図７】  従来のカード保持型帳票の構成図である。
【符号の説明】
１１              カード保持型帳票
１２              第１の紙葉
１３              第２の紙葉
１４              ミシン目
１５              カード保持部
１６              窓部
１７Ａ，１７Ｂ    ひも付け識別符号
１８Ａ，１８Ｂ    目視判別符号
１９              カード
２１              帳票作製システム
４４              折込線
４５              接着剤
【図１】
0004380849.tif 000002
【図２】
0004380849.tif 000003
【図３】
0004380849.tif 000004
【図４】
0004380849.tif 000005
【図５】
0004380849.tif 000006
【図６】
0004380849.tif 000007
【図７】
0004380849.tif 000008